(57)【要約】【課題】  組立が容易であるとともに、製造工程における点検や修理・サービス，点検における検査なども容易に行うことができるようにサービス性の高い冷蔵庫を提供する。【解決手段】  制御基板と前記制御基板に配設した検査用端子と前記制御基板を保護する保護カバーを有する冷蔵庫において、冷蔵庫本体の上面部に制御基板を配設し、この制御基板の検査用端子の対向位置で且つ扉側もしくは側面側に開口した保護カバーを有し、前記保護カバー開口部に着脱可能な蓋部材を取付けることでサービス性を向上できる。【選択図】図９
2009036456.tif 000002
【特許請求の範囲】
【請求項１】
制御基板と、前記制御基板に配設した検査用端子と、前記制御基板を保護する保護カバーとを有する冷蔵庫において、
冷蔵庫本体の上面部に配設した前記制御基板と、該制御基板を覆う保護カバーと、該保護カバーの扉側もしくは側面側の部分で且つ前記制御基板の前記検査用端子の対向位置に形成された開口部に着脱可能に取付けられた蓋部材とを備えることを特徴とする冷蔵庫。
【請求項２】
前記検査用端子の対向位置を開口した前記保護カバー開口部に着脱自在な前記蓋部材を取付けたことを特徴とする請求項１記載の冷蔵庫。
【請求項３】
冷蔵庫本体の上面部に扉体を箱体に保持する扉ヒンジを有した冷蔵庫において、制御基板と、この制御用基板の検査用端子とを備え、該検査用端子が前記扉ヒンジの近傍に配設されたことを特徴とする冷蔵庫。
【発明の詳細な説明】
【技術分野】
【０００１】
本発明は、電子制御回路で制御される冷蔵庫において、検査用端子を冷蔵庫上面部に有するものに関する。
【背景技術】
【０００２】
制御基板を冷蔵庫上面部に配設する従来例としては、特許文献１記載のように、冷蔵庫の上面板と背面板が交わる稜線部分の内部に制御基板収納空間を設け、この基板収納空間に制御基板を収納する例がある。
【０００３】
従来例では、冷蔵庫上面部に制御基板を配設しているが、制御基板上に検査用端子が配設していても、前記制御基板を保護する保護カバーが螺子にて固定されているため、前記螺子を外さないとサービス，修理ができず、作業が煩雑となる。
【０００４】
また、検査用端子の対向位置に自在に着脱できる蓋部材を取付けている従来例としては、特許文献２に示す例がある。
【０００５】
従来例では、冷蔵庫の背面下部に設置されている機械室内に制御基板を収納している。制御基板は、機械室背面開口の近傍に設置してあるため、制御基板の取付け，束線の接続，検査等を容易に出来る。
【０００６】
制御基板は、保護カバーにて閉塞されており、固定には数本の螺子が使用されている。製造工程での製品検査や、市場での修理，点検などの作業を行う際には、これらの螺子を全て取外すことが必要となるため、作業が煩雑となる。
【０００７】
前記を解決するため制御基板に配設された検査用端子の対向位置を開口した保護カバーを有し、前記保護カバーの開口位置に着脱自在な蓋部材を取付けている。これにより、前記保護カバーを外さなくても市場での修理，点検が容易になる。
【０００８】
【特許文献１】特開２００６−１１２６５８号公報
【特許文献２】特開２００５−２７４０８４号公報
【発明の開示】
【発明が解決しようとする課題】
【０００９】
従来、冷蔵庫の運転状況等を確認する検査用端子は制御基板に配設されており、サービスマンは修理・点検などの際にその度ごとに冷蔵庫を前に引出す必要があり、作業するスペースが無い時は更に回転させたりして作業が煩雑となり、サービス性が悪いという問題がある。
【００１０】
本発明は、修理・点検などの際に、冷蔵庫の移動を従来に比べ少なく出来るようにすること、これによって作業し易くサービス性を向上できる冷蔵庫を提供することにある。
【課題を解決するための手段】
【００１１】
上記課題は、制御基板と、前記制御基板に配設した検査用端子と、前記制御基板を保護する保護カバーとを有する冷蔵庫において、冷蔵庫本体の上面部に配設した制御基板と、この制御基板を覆う保護カバーと、この保護カバーの扉側もしくは側面側の部分で且つ前記制御基板の検査用端子の対向位置に形成された開口部に着脱可能に取付けられた蓋部材とを備えることにより達成できる。
【発明の効果】
【００１２】
本発明の冷蔵庫は、製造工程における点検や修理・サービス，点検における検査なども容易に行うことができる冷蔵庫を提供することができる。
【発明を実施するための最良の形態】
【００１３】
図１は本発明の一例を示す冷蔵庫の斜視図である。図２は本発明の一例を示す断熱箱体の斜視図である。図３は本発明の一例を示す冷蔵庫の側面図である。図４は継ぎ手部分解図である。図５は本発明の一例を示す冷蔵庫の背面斜視図である。図６は本発明の一例を示す外箱分解図である。図７は制御基板収納部材の詳細図である。図８は制御基板組品分解図である。図９は制御基板収納部の断面図である。図１０は保護カバーの開口部の詳細図である。図１１は継ぎ手部分解図である。
【００１４】
図１，図２，図３において冷蔵庫本体１は、外板２と背面を構成する背面板３と下板４から外箱が形成され、この外箱と内箱５との間に断熱材を発泡充填させて断熱箱体６を構成している。この断熱箱体６より形成された上面部には制御基板収納部材９を配設している。
【００１５】
図２において６は断熱箱体で、上から冷蔵室３１，製氷室３２，第一冷凍室３３，第二冷凍室３４，野菜室３５が設けられている。図３において、冷蔵室３１には扉ヒンジにより回動自在な回転式の扉３６により冷蔵室を閉塞している。製氷室３２，第一冷凍室３３，第二冷凍室３４と野菜室３５にも閉塞するための製氷室扉３７，第一冷凍室扉３８，第二冷凍室扉３９，野菜室扉４０が設けてあり、これらの扉は、可動式の枠により引出式の扉となっている。
【００１６】
冷蔵庫本体１は、冷蔵庫本体下部に設けられた脚部２４と圧縮機を載せる支持台により保持される。
【００１７】
脚部２４は、保護部材２５により覆われている。前記保護部材２５は、前記扉と一体感を持たせた意匠となっており、意匠性を向上させている。
【００１８】
図４において冷蔵室扉３６を支える断熱箱体６の上面部に配置する扉ヒンジ４２近傍には、冷蔵室扉３６に設置される電気部品からのコードを断熱箱体６からのコードも結線して収納する収納部材４１が設けてあり、前記扉ヒンジ４２と収納部材４１とを保護するための意匠を考慮した保護カバー４３により覆われている。
【００１９】
図５において背面から見た制御基板収納空間１０の背面側左右には、断熱材を外箱と内箱との間に注入する注入口２８があり、断熱材（断熱発泡ガス：シクロペンタン）を注入している。
【００２０】
この注入口２８は、後から取付ける樹脂材料にて成形された運搬取っ手２９により隠蔽し、注入口２８が見えないように意匠性を考慮した形状になっている。
【００２１】
前記運搬取っ手２９には、電源コードの電源プラグ部を差し込めるようなっており、運搬の際に電源コードが垂れ下がらないようになっている。
【００２２】
図６において制御基板収納空間１０は、外板２の上面部と背面のまたがる２面の一部を切欠いた２１に、制御基板収納部材９を差し込んでいる。差し込むことにより、制御基板収納部材９の前面の挟み込み部９１と後方の左右に設けた挟み込み部９２の間に切欠き部２１が挟まれて固定される。図７に、制御基板収納部材９の詳細を示す。
【００２３】
前記前面の挟み込み部９１は、組立性を考慮して前記挟み込み部９１の隙間を全幅で余裕を持たせた隙間とし、数箇所狭くしてその部分で挟み込む様になっている。これにより、組立時の摩擦抵抗を軽減でき組立て易くなっている。
【００２４】
前記固定では挟み込みだけのため、制御基板収納部材９の前面フランジ中央部の挟み込みを無くして凸形状をした突起９４を設け、その突起を外板２上面部に設けた抜き孔２２に差し込むことで抜け防止を図っている。
【００２５】
外板２に設けた凹部と制御基板収納部材９の凹部に背面板の外周フランジ部を差し込んで、螺子にて固定する。
【００２６】
制御基板収納部材９は、外板２の切欠き２１に沿った形状のリブ９３を有しており、前記リブ９３が案内となって組立性を向上させている。また、前記リブ９３が制御基板収納空間１０内への水浸入を防ぐ役割も兼ねている。
【００２７】
制御基板収納部材９の底面は、傾斜しており冷蔵庫前面側を浅くし前記背面側を深くすることにより、冷蔵室３１内の後部（背面近く）をくぼませる量を少なくすることができ内容積減少を抑える構造としている。
【００２８】
前記基板収納部材９は、制御基板１１に接続する電装部品からのコードを通す通し孔９５を有するとともに、水浸入を防ぐために通し孔の淵に周りの面より高いリブ９６を有する。通し孔９５にコードを固定する際にはシール部材を巻き付けた状態で通し孔に収めている。
【００２９】
前記通し孔９５に収めたシール部材が動かないように制御基板収納部材９には、引掛けリブ９７を有しており、シール部材が前記引掛けリブ９７に食い込んで動かないようにしている。
【００３０】
制御基板収納部材９には、制御基板組品１３を固定する螺子ボス９８があり、前記螺子ボス９８を包み込むようにして制御基板組品１３の位置決めを行っている。
【００３１】
制御基板収納部材９には、制御基板受け皿１２固定用の螺子ボス以外に、制御基板収納空間１０を密閉するための保護カバー１５を固定するための螺子ボス９９を有している。
【００３２】
制御基板収納部材９は、難燃性の合成樹脂で成形されている。
【００３３】
図８において、制御基板組品１３は制御基板１１と制御基板受け皿１２とを組んだものであり、前記の制御基板受け皿１２には、コードを配線したとき散らばらないようにするためのリブある。前記リブは、対になっていることでコードを挟み込み散らばらないようになっているが、制御基板受け皿１２の一部のリブは対になっておらず制御基板受け皿１２に設けたリブと制御基板収納部材９の側壁を対としてその役割を果たしている。
【実施例１】
【００３４】
図９は、制御基板上に配設された検査用端子１４の中央部での断面図、図１０は保護カバーの開口部詳細図である。
【００３５】
図９において、制御基板収納空間１０は、断熱箱体６と制御基板収納空間１０を密閉するための保護カバー１５により構成されている
【００３６】
前記保護カバー１５は、組立時に制御基板上に設けられた検査用端子１４の対向位置が開口されている。前記開口部１７には、着脱可能な蓋部材１６を取付けている。
【００３７】
前記蓋部材１６を外し、検査用端子１４から外部検査機器により、冷蔵庫の異常や運転状態を読み取ることが出来るほか、前記外部検査機器により冷蔵庫制御プログラムを書き込むことも出来る。
【００３８】
蓋部材１６を外すには、ペン先等で上部の切欠き部１６１を蓋部材１６の中央方向に押すことで、前記蓋部材１６側面部に設けられた可動ツメ部１６２が外れ、特殊な工具を使用することなく蓋部材１６を外すことが出来る。
【００３９】
図９において前記蓋部材１６を取付ける保護カバー１５の面は、周りの面を一段低くした面１５１に凸形状として一段高くしており、蓋部材１６の上に水がこぼれても溜りにくくしているため制御基板上に水が垂れない構造にしている。
【００４０】
前記開口部１７は、検査用端子１４の対向位置を開口しているが、基板収納部材９の底面が傾斜しているので、外部検査機器の接続用を容易にするために開口部を検査用端子１４より後方に大きくした開口とし、外部検査機器を接続しやすいようにしている。
【００４１】
制御基板１１上に設けられた検査用端子１４の位置は、制御基板収納空間１０の前方部に配設され、冷蔵庫本体正面から一番近い位置に配設している。蓋部材１６の着脱や外部検査機器の端子を検査用端子１４への接続を容易にすることが出来る
【００４２】
制御基板１１上の検査用端子１４近傍には、端子等の背の高い部品を配置せず、束線も遠ざけ、蓋部材１６の取付けを阻害しないような制御基板配置となっている。
【００４３】
以上のように、冷蔵庫上面部に制御基板を設け、検査用端子の対向位置を開口して着脱可能な部品を設けることで、サービス・検査・修理等において冷蔵庫を前に引出す必要がなくなるので、サービス性が向上するので、上面部に制御基板を備えかつ兼用端子を備えた冷却貯蔵庫等の用途にも適用できる。
【実施例２】
【００４４】
図１１は、検査用端子を冷蔵庫扉体の扉ヒンジ保護カバー内に設置した図である。冷蔵室扉体３６には、冷蔵庫を外側から運転状態を操作あるいは表示する操作表示部等の電気部品を有しており、これらの電装部品は、扉ヒンジ４２の近傍の収納部材４１に収められた断熱箱体６のコードと結線される。
【００４５】
収納部材４１は、前記結線された端子を収納する部材であるが、断熱箱体６からの電線には、冷蔵室扉体３６からのコードと結線しない端子８０も収納する。
【００４６】
前記８０の端子は、制御基板上１１上に配設された検査用端子１４と電気的に接続されており、サービス，修理等に用いるため、前記端子８０は、通常未結線のまま収納部材４１に収納され保護カバー４３により保護される。
【００４７】
保護カバー４３には、収納部材４１に対向する位置が開口されており、前記開口部４５には、着脱自在な蓋部材４６を取付けている。
【００４８】
サービス，修理等の際には、前記蓋部材４６を外し、外部検査機器を接続して冷蔵庫の状態や運転状況を読み取ることが出来るほか、前記外部検査機器により冷蔵庫制御プログラムを書き込むことも出来る。
【００４９】
以上のように、冷蔵庫上面部の扉ヒンジ保護カバー内に検査用端子を配置し、検査用端子の対抗位置を開口して着脱可能な部品を設けることで、サービス・検査・修理等において冷蔵庫を前に引出す必要がなくなるので、サービス性が向上するので、上面部の扉ヒンジ近傍に検査用端子を備えた冷却貯蔵庫等の用途にも適用できる。
【図面の簡単な説明】
【００５０】
【図１】本発明の一例を示す冷蔵庫の斜視図。
【図２】本発明の一例を示す断熱箱体の斜視図。
【図３】本発明の一例を示す冷蔵庫の側面図。
【図４】継ぎ手部分解図。
【図５】本発明の一例を示す冷蔵庫の背面斜視図。
【図６】本発明の一例を示す外箱分解図。
【図７】制御基板収納部材の詳細図。
【図８】制御基板組品分解図。
【図９】制御基板収納部の断面図。
【図１０】保護カバーの開口部の詳細図。
【図１１】継ぎ手部分解図。
【符号の説明】
【００５１】
１  冷蔵庫本体
２  外板
３  背面板
４  下板
５  内箱
６  断熱箱体
９  制御基板収納部材
１０  制御基板収納空間
１１  制御基板
１２  制御基板受け皿
１３  制御基板組品
１４  検査用端子
１５，２５，４３  保護カバー
１６  蓋部材
１７  開口部
２１  外板切欠き
２２  外板抜き穴
２４  脚
２８  注入口
２９  運搬取っ手
３１  冷蔵室
３２  製氷室
３３  第一冷凍室
３４  第二冷凍室
３５  野菜室
３６  冷蔵室扉
３７  製氷室扉
３８  第一冷凍室扉
３９  第二冷凍室扉
４０  野菜室扉
４１  収納部材
４２  扉ヒンジ
４５  保護カバー開口
４６  蓋部材
９１  前面の挟み込み部
９２  後方左右挟み込み部
９３，９６，９７  リブ
９４  突起
９５  通し孔
９８，９９  螺子ボス
１５１  一段低くした面
１６１  上部切欠き部
１６２  可動ツメ
【図１】
2009036456.tif 000003
【図２】
2009036456.tif 000004
【図３】
2009036456.tif 000005
【図４】
2009036456.tif 000006
【図５】
2009036456.tif 000007
【図６】
2009036456.tif 000008
【図７】
2009036456.tif 000009
【図８】
2009036456.tif 000010
【図９】
2009036456.tif 000011
【図１０】
2009036456.tif 000012
【図１１】
2009036456.tif 000013